(57)【要約】【課題】履かせ易さと横漏れ抑制の両立を可能としたパンツ型おむつを提供することを目的とする。【解決手段】前身頃と後身頃との接合を解いて展開した状態において、前身頃の上端部と後身頃の上端部との距離Ｌ１が４００ｍｍ以下であり、前身頃における最も股下部１０Ｃ側の弾性部材１５ＦＤＸと後身頃における最も股下部側の弾性部材１５ＲＤＸとの距離Ｌ２が距離Ｌ１の３４％以上、６４％以下であり、脚回り開口部を構成する部位において、股下部１０Ｃの側縁部と前身頃および後身頃の胴周り方向の両端部との距離Ｌ３が距離Ｌ２の２６％以上、５６％以下である。【選択図】図２
2019098047.tif 000002
【特許請求の範囲】
【請求項１】
着用者の腹部を覆う前身頃と、前記着用者の背部を覆う後身頃と、前記前身頃と前記後身頃とに跨り前記着用者の股下を覆う股下部とを備え、
前記前身頃および前記後身頃は、胴周り方向に互い平行な複数の弾性部材を備え、
前記前身頃および前記後身頃の胴周り方向の両端部を接合した状態において、前記前身頃および前記後身頃の上端部は胴回り開口部を構成し、前記前身頃および前記後身頃の下端部と前記股下部の側縁部とは脚回り開口部を構成し、
前記前身頃と前記後身頃との接合を解いて展開した状態において、
前記前身頃の上端部と前記後身頃の上端部との距離Ｌ１が４００ｍｍ以下であり、
前記前身頃における最も前記股下部側の前記弾性部材と前記後身頃における最も前記股下部側の前記弾性部材との距離Ｌ２が前記距離Ｌ１の３４％以上、６４％以下であり、
前記脚回り開口部を構成する部位において、前記股下部の側縁部と前記前身頃および前記後身頃の前記胴周り方向の両端部との距離Ｌ３が前記距離Ｌ２の２６％以上、５６％以下である
パンツ型おむつ。
【請求項２】
前記距離Ｌ１は、３００ｍｍ以上である
請求項１に記載のパンツ型おむつ。
【請求項３】
前記距離Ｌ２は、前記距離Ｌ１の４９％以下である
請求項１または２に記載のパンツ型おむつ。
【請求項４】
前記距離Ｌ３は、前記距離Ｌ２の４１％以上である
請求項１ないし３のうち何れか１項に記載のパンツ型おむつ。
【請求項５】
前記パンツ型おむつは、
前記前身頃は、第１外装体で構成され、
前記後身頃は、第２外装体で構成され、
前記股下部は、吸収性本体で構成され、
前記吸収性本体の前後方向における前端部は、前記第１外装体に接合され、後端部は、前記第２外装体に接合されて構成される
請求項１ないし４のうち何れか１項に記載のパンツ型おむつ。
【発明の詳細な説明】
【技術分野】
【０００１】
本発明は、使い捨てのパンツ型おむつに関する。
【背景技術】
【０００２】
使い捨てのパンツ型おむつは、一般に、着用者の腹部を覆う前身頃と、着用者の背部を覆う後身頃と、前身頃と後身頃とに跨り着用者の股下を覆う股下部とを備えている。前身頃および後身頃の胴周り方向の両端部を接合した状態において、前身頃および後身頃の上端部は胴回り開口部を構成し、前身頃および後身頃の下端部と股下部の側縁部とは脚回り開口部を構成している（特許文献１参照）。
【先行技術文献】
【特許文献】
【０００３】
【特許文献１】特許第６１２４６１３号公報
【発明の概要】
【発明が解決しようとする課題】
【０００４】
ところで、新生児、乳児などの低月齢児は、テープ型おむつを使用するが、低月齢児であっても脚部をばたつかせるような発育段階となると、テープ型おむつを履かせることが困難となる。このため、このような発育段階になると、徐々に、テープ型おむつからパンツ型おむつを着用するように切り替わってくる。
【０００５】
低月齢児は、まだ寝たきりであり、蛙脚のように膝を曲げた姿勢をとる。このような低月齢児に対してパンツ型おむつを履かせることは、立っている幼児に対してパンツ型おむつを履かせる場合に比べて困難である。
【０００６】
このような課題に対しては、脚回り開口部を大きくすることで、蛙脚のように膝を曲げた状態の脚部であっても脚回り開口部に対して挿通し易くすることができる。その一方で、脚回り開口部を大きくし過ぎると、脚回りに対するフィット性が悪化し、横漏れする可能性が高まる。
【０００７】
本発明は、低月齢児への履かせ易さと低月齢児に履かせた状態での横漏れ抑制の両立を可能としたパンツ型おむつを提供することを目的とする。
【課題を解決するための手段】
【０００８】
上記課題を解決するためのパンツ型おむつは、着用者の腹部を覆う前身頃と、前記着用者の背部を覆う後身頃と、前記前身頃と前記後身頃とに跨り前記着用者の股下を覆う股下部とを備え、前記前身頃および前記後身頃は、胴周り方向に互い平行な複数の弾性部材を備え、前記前身頃および前記後身頃の胴周り方向の両端部を接合した状態において、前記前身頃および前記後身頃の上端部は胴回り開口部を構成し、前記前身頃および前記後身頃の下端部と前記股下部の側縁部とは脚回り開口部を構成し、前記前身頃と前記後身頃との接合を解いて展開した状態において、前記前身頃の上端部と前記後身頃の上端部との距離Ｌ１が４００ｍｍ以下であり、前記前身頃における最も前記股下部側の前記弾性部材と前記後身頃における最も前記股下部側の前記弾性部材との距離Ｌ２が前記距離Ｌ１の３４％以上、６４％以下であり、前記脚回り開口部を構成する部位において、前記股下部の側縁部と前記前身頃および前記後身頃の前記胴周り方向の両端部との距離Ｌ３が前記距離Ｌ２の２６％以上、５６％以下である。
【０００９】
上記構成によれば、脚回り開口部の形状や大きさを、脚部をばたつかせるような発育段階の低月齢児の蛙脚の脚部を脚回り開口部に対して円滑に挿通することができる最適な大きさと形状にすることができる。したがって、おむつを低月齢児に履かせる際に、低月齢児の脚部を脚回り開口部に円滑に挿通することができ、しかも、脚回り開口部の形状や大きさを、低月齢児に履かせた状態において低月齢児の鼠頸部へのフィット性を損なわない最適な大きさと形状にすることができ、低月齢児に履かせた状態での横漏れを抑制することができる。
【００１０】
上記パンツ型おむつにおいて、前記距離Ｌ１は、３００ｍｍ以上の構成としてもよい。
上記構成によれば、乳児などの低月齢児の着用者に対しても、脚回り開口部の形状や大きさが最適化されたパンツ型おむつを提供することができる。
【００１１】
上記パンツ型おむつにおいて、前記距離Ｌ２は、前記距離Ｌ１の４９％以下の構成としてもよい。
上記構成によれば、低月齢児に履かせた状態において低月齢児の鼠頸部へのフィット性がさらに向上し、低月齢児に履かせた状態での横漏れをさらに抑制することができる。
【００１２】
上記パンツ型おむつにおいて、前記距離Ｌ３は、前記距離Ｌ２の４１％以上の構成としてもよい。
上記構成によれば、おむつを低月齢児に履かせる際に低月齢児の脚部を脚回り開口部に対してより円滑に挿通することができ、低月齢児への履かせ易さをさらに向上することができる。
【００１３】
上記パンツ型おむつにおいて、前記前身頃は、第１外装体で構成され、前記後身頃は、第２外装体で構成され、前記股下部は、吸収性本体で構成され、前記吸収性本体の前後方向における前端部は、前記第１外装体に接合され、後端部は、前記第２外装体に接合される構成としてもよい。
上記構成によれば、第１外装体と第２外装体と吸収性本体とで構成されたおむつにおいて、脚回り開口部の大きさと形状を最適化することができる。
【発明の効果】
【００１４】
本発明によれば、低月齢児への履かせ易さと低月齢児に履かせた状態での横漏れ抑制の両立を可能とした使い捨ておむつを提供することができる。
【図面の簡単な説明】
【００１５】
【図１】本発明を適用したパンツ型おむつを着用者が着用した状態を示す斜視図。
【図２】本発明を適用したパンツ型おむつの展開状態を示す平面図。
【図３】本発明を適用したパンツ型おむつの展開状態を示す図２のａ−ａ断面図。
【図４】（ａ）は、上部領域の接着領域を図２に対応して示す平面図、（ｂ）は、下部領域の接着領域を図２に対応して示す平面図。
【発明を実施するための形態】
【００１６】
図１ないし図４を参照して本発明におけるパンツ型おむつを具体化した一実施形態におけるパンツ型使い捨ておむつについて説明する。
図１に示すように、パンツ型使い捨ておむつ１０（以下、単に「おむつ１０」という。）は、脚部が蛙脚のように膝で曲がった新生児や低月齢の着用者１００に対して好適なパンツ型使い捨ておむつである。おむつ１０は、人体の腹部形状に追従する形状を有する前身頃１０Ｆと、人体の背部形状に追従する形状を有する後身頃１０Ｒと、前身頃１０Ｆおよび後身頃１０Ｒを繋ぐ股下部１０Ｃとを備える。
【００１７】
前身頃１０Ｆにおいて股下部１０Ｃと反対側は、着用者１００の胴回りの部分を胴周り方向に取り囲む胴回り部１０Ｗを構成し、上端部に、胴回り開口部１０Ａを備えている。また、前身頃１０Ｆにおける左右下側両端部、後身頃１０Ｒにおける胴周り方向の左右下側両端部、および、股下部１０Ｃにおける胴周り方向の左右両側縁部とは、人体の太股部分を取り囲む形状を有した左右一対の脚回り開口部１０Ｌを構成している。また、前身頃１０Ｆと後身頃１０Ｒの胴回り方向の左右両端部は、接合部１１となっている。
【００１８】
図２は、パンツ型使い捨ておむつの展開状態を示す平面図、図３は、図２のａ−ａ断面図である。なお、図３において、右側がおむつ装着者の肌側となる。前身頃１０Ｆにおける胴回り部１０Ｗは、第１外装体としての腹側外装体１２Ｆで構成され、後身頃１０Ｒにおける胴回り部１０Ｗは、第２外装体としての背側外装体１２Ｒで構成されている。
【００１９】
腹側外装体１２Ｆおよび背側外装体１２Ｒは、胴回り方向を長手方向とした矩形形状を有している。外装体を構成するシートは、一例として、ポリエチレン、ポリプロピレン、ポリエステル、その他の熱可塑性樹脂を原料とした合成繊維からなる不織布であり、また、透液性シート、不透液性シートであってもよい。そして、腹側外装体１２Ｆは、腹側外装体１２Ｆを構成するシート間に腹側上部弾性部材１５ＦＵおよび腹側下部弾性部材１５ＦＤが挟まれて構成されている。背側外装体１２Ｒもまた、背側外装体１２Ｒを構成するシート間に背側上部弾性部材１５ＲＵおよび背側下部弾性部材１５ＲＤが挟まれて構成されている。これらの弾性部材１５ＦＵ，１５ＦＤ，１５ＲＵ，１５ＲＤは、天然ゴム、合成ゴム、ウレタンなどから選ばれる１つ以上の材料により形成された弾性体であり、糸状または紐状に形成されている。弾性部材１５ＦＵ，１５ＦＤ，１５ＲＵ，１５ＲＤは、複数本が互いに平行に、胴回り方向に沿って配置されている。
【００２０】
腹側外装体１２Ｆと背側外装体１２Ｒとは、股下部１０Ｃを構成する吸収性本体１６で連結される。吸収性本体１６は、前後方向を長手方向とした矩形形状を有している。図３に示すように、吸収性本体１６は、液不透過性を有したバックシート１７と、吸収体１８と、液透過性を有したトップシート１９と、バックシート１７に対して外側に重ねられるカバーシート２０とを備えている。おむつ１０において、トップシート１９は、着用者１００の肌と接する内側に配置され、バックシート１７は、吸収体１８に対して外側に配置され、カバーシート２０は、バックシート１７を覆うように、最外に配置される。そして、吸収性本体１６において、外側から、カバーシート２０、バックシート１７、吸収体１８、トップシート１９の順に重なっている。
【００２１】
バックシート１７を形成する材料は、例えば、液不透過性を有したポリエチレン樹脂製のフィルムである。バックシート１７は、通気性を確保するため、微細孔が多数形成されているものが好ましい。トップシート１９およびカバーシート２０を形成する材料は、例えば、織布、不織布、多孔性フィルムなどから選ばれる１以上の材料である。また、トップシート１９は、例えば、ポリプロピレン、ポリエチレン、ポリエステル、ナイロンのような熱可塑性樹脂の繊維であって親水化処理が施された繊維から構成される液透過性を有した不織布などが用いられる。カバーシート２０は、最外のシートであり、使用者に触れるシートであるため、手触り感を向上させる不織布などで構成されている。
【００２２】
吸収体１８は、前身頃１０Ｆ、股下部１０Ｃ、および、後身頃１０Ｒに跨るように細長い帯形状を有している。吸収体１８は、吸収性材料の成形体と、成形体を包むコアラップとで構成されている。吸収体１８を形成する吸収性材料の成形体は、例えば、フラッフパルプ、高吸収性ポリマー、親水性シートなどの吸収性材料を成形したものである。また、コアラップは、ティシュや不織布などで構成されている。そして、吸収体１８は、バックシート１７とトップシート１９との間に配置され接合される。吸収体１８は、腹側外装体１２Ｆと背側外装体１２Ｒとの間に延在され、腹側端部１８Ｆと背側端部１８Ｒとを備えている。なお、吸収体１８において、コアラップは省略されていてもよい。
【００２３】
バックシート１７、トップシート１９、および、カバーシート２０は、吸収体１８に対して一回り大きな矩形形状を有したシートであり、中央領域に吸収体１８が配置され、吸収体１８の周辺部には吸収体１８は存在しない。吸収性本体１６における前後方向の両側縁部は、吸収体１８が存在しないシート側縁部１８Ａである。シート側縁部１８Ａは、一例として、バックシート１７、トップシート１９、および、カバーシート２０が重なって構成されている。また、シート側縁部１８Ａは、一例として、カバーシート２０の前後方向に延びる両側縁部を内側に折り返して構成されている。また、吸収性本体１６の前後方向における外装体１２Ｆ，１２Ｒと重なる領域の内面と外面は、外装体を構成するシートが接着される端部領域１６Ａとなる。端部領域１６Ａは、吸収性本体１６の前後方向の前端部と後端部であって、吸収体１８の腹側端部１８Ｆおよび背側端部１８Ｒと、これら端部１８Ｆ，１８Ｒの周辺部１８Ｂと、シート側縁部１８Ａとを含む領域である。
【００２４】
腹側外装体１２Ｆは、横帯形状の腹側上部領域１２ＦＵと腹側下部領域１２ＦＤとを備えている。背側外装体１２Ｒも、横帯形状の背側上部領域１２ＲＵと背側下部領域１２ＲＤとを備えている。
【００２５】
図２に示すように、腹側上部領域１２ＦＵおよび背側上部領域１２ＲＵでは、腹側上部弾性部材１５ＦＵおよび背側上部弾性部材１５ＲＵが吸収性本体１６に対して内側、すなわちトップシート１９側に配置されており、胴回り開口部１０Ａや胴回り部１０Ｗの一部を構成している。腹側下部領域１２ＦＤおよび背側下部領域１２ＲＤでは、腹側下部弾性部材１５ＦＤおよび背側下部弾性部材１５ＲＤが吸収性本体１６に対して外側、すなわちバックシート１７やカバーシート２０側に配置されており、胴回り部１０Ｗの一部を構成している。
【００２６】
腹側上部領域１２ＦＵには、複数本の腹側上部弾性部材１５ＦＵが胴回り方向を長手方向としたシート間（腹側外部シート部２６Ｆと腹側内部シート部２５Ｆの間）において、胴回り方向における左右両端部に亘って伸長された状態で配置されている。背側上部領域１２ＲＵには、複数本の背側上部弾性部材１５ＲＵが胴回り方向を長手方向としたシート間（背側外部シート部２６Ｒと背側内部シート部２５Ｒとの間）において、胴回り方向における左右両端部に亘って伸長された状態で配置されている。
【００２７】
また、腹側下部領域１２ＦＤには、複数本の腹側下部弾性部材１５ＦＤが胴回り方向を長手方向としたシート間（腹側外部シート部２６Ｆと腹側内部シート部２５Ｆの間）において、胴回り方向における左右両端部に亘って配置されている。背側下部領域１２ＲＤには、複数本の背側下部弾性部材１５ＲＤが胴回り方向を長手方向としたシート間（背側外部シート部２６Ｒと背側内部シート部２５Ｒとの間）において、胴回り方向における左右両端部に亘って配置されている。これら弾性部材１５ＦＵ，１５ＦＤ，１５ＲＵ，１５ＲＤは、胴回り部１０Ｗにおいて、胴回り開口部１０Ａに近い上側にウェストギャザーを構成し、股下部１０Ｃに近い下側にタミーギャザーを構成し、腹漏れや背漏れの発生を抑制する。
【００２８】
図３に示すように、腹側下部領域１２ＦＤおよび背側下部領域１２ＲＤは、吸収性本体１６における端部領域１６Ａのカバーシート２０に直接接着されている。図２に示すように、腹側下部弾性部材１５ＦＤは、端部領域１６Ａ上において、伸長していない状態、例えば切断された状態で配置されている。また、大半の背側下部弾性部材１５ＲＤは、端部領域１６Ａ上において、伸長していない状態、例えば切断された状態で配置されている。これにより、吸収性本体１６は、腹側下部弾性部材１５ＦＤおよび背側下部弾性部材１５ＲＤの収縮に合わせて吸収性本体１６が収縮し、吸収性本体１６にひだが形成されることを抑制することができる。そして、吸収性本体１６と肌との間に隙間が生じることを抑制でき、腹漏れや背漏れを抑制することができる。
【００２９】
複数本の背側下部弾性部材１５ＲＤのうちで背側上部領域１２ＲＵの近くにおいて背側上部領域１２ＲＵの下端部に沿って位置する複数本の背側下部弾性部材１５ＲＤ１は、吸収体１８の背側端部１８Ｒ上において、伸長した状態、すなわち切断されていない状態で配置されている。したがって、背側下部弾性部材１５ＲＤ１が配置された領域では、背側端部１８Ｒにひだ１６Ｂが形成される。ひだ１６Ｂが形成された背側端部１８Ｒでは、吸収体１８の厚さがひだ１６Ｂが形成されていない領域よりも厚くなり、後述の背側ポケット３０Ｒの開口端が臀部に押されて塞がりにくくなる。また、ひだ１６Ｂを、背側ポケット３０Ｒに導く案内として機能させることができる。なお、背側下部弾性部材１５ＲＤは、全てが伸長していない状態、例えば切断された状態となっていてもよい。
【００３０】
図３に示すように、腹側上部領域１２ＦＵは、腹側上部弾性部材１５ＦＵをシート（腹側外部シート部２６Ｆと腹側内部シート部２５Ｆ）で挟み込んで腹側内部弾性部２７Ｆを構成している。また、腹側下部領域１２ＦＤも、腹側下部弾性部材１５ＦＤをシート（腹側外部シート部２６Ｆと腹側内部シート部２５Ｆ）で挟み込んだ腹側外部弾性部２８Ｆを構成している。腹側上部領域１２ＦＵおよび腹側下部領域１２ＦＤは、腹側外部シート部２６Ｆと腹側内部シート部２５Ｆとによって、一連に繋がっている。
【００３１】
背側上部領域１２ＲＵは、背側上部弾性部材１５ＲＵをシート（背側外部シート部２６Ｒと背側内部シート部２５Ｒ）で挟み込んで背側内部弾性部２７Ｒを構成している。また、背側下部領域１２ＲＤも、背側下部弾性部材１５ＲＤをシート（背側外部シート部２６Ｒと背側内部シート部２５Ｒ）で挟み込んで背側外部弾性部２８Ｒを構成している。背側上部領域１２ＲＵおよび背側下部領域１２ＲＤは、背側外部シート部２６Ｒと背側内部シート部２５Ｒとによって、一連に繋がっている。
【００３２】
腹側外部シート部２６Ｆおび背側外部シート部２６Ｒは、肌とは反対側の最も外側に位置するとともに、胴回り開口部１０Ａの部分で内側に折り曲げられて最も肌側に位置するシートである。腹側内部シート部２５Ｆおよび背側内部シート部２５Ｒは、腹側外部シート部２６Ｆおび背側外部シート部２６Ｒに対向するシートである。
【００３３】
腹側内部弾性部２７Ｆを構成している腹側外部シート部２６Ｆおよび腹側内部シート部２５Ｆは、腹側上部弾性部材１５ＦＵおよび腹側下部弾性部材１５ＦＤを挟み込み、第１接着剤２４で接着されている。腹側外部シート部２６Ｆおよび腹側内部シート部２５Ｆの折り返し部分は、胴回り開口部１０Ａを構成し、胴回り開口部１０Ａをシートの２枚重ねで構成することによって、強度を高めている（図３中上側Ａ部）。
【００３４】
背側内部弾性部２７Ｒを構成している背側外部シート部２６Ｒおよび背側内部シート部２５Ｒは、背側上部弾性部材１５ＲＵおよび背側下部弾性部材１５ＲＤを挟み込み、第１接着剤２４で接着されている。背側外部シート部２６Ｒおよび背側内部シート部２５Ｒの折り返し部分は、胴回り開口部１０Ａを構成し、胴回り開口部１０Ａをシート２枚重ねで構成することによって、強度を高めている（図３中下側Ａ部）。
【００３５】
腹側内部弾性部２７Ｆおよび背側内部弾性部２７Ｒにおいて、腹側上部弾性部材１５ＦＵおよび背側上部弾性部材１５ＲＵと隣接する腹側内部シート部２５Ｆおよび背側内部シート部２５Ｒは、端部領域１６Ａのトップシート１９に対して非接着とされる。また、腹側内部弾性部２７Ｆおよび背側内部弾性部２７Ｒにおいて、端部領域１６Ａの周囲の領域では、胴回り開口部１０Ａで折り返された腹側内部シート部２５Ｆ同士が第２接着剤２５によって接着される。また、端部領域１６Ａのカバーシート２０も腹側内部シート部２５Ｆおよび背側内部シート部２５Ｒに対して第２接着剤２５によって接着される。
【００３６】
ここで、図４（ａ）は、上部領域の接着領域を図２に対応して示す平面図、図４（ｂ）は、下部領域の接着領域を図２に対応して示す平面図である。
図３および図４（ａ）に示すように、腹側上部領域１２ＦＵにおいて、端部領域１６Ａのカバーシート２０が腹側内部シート部２５Ｆに対して第２接着剤２５によって接着される領域が、第１接着領域２２Ａとなる。また、背側上部領域１２ＲＵにおいて、端部領域１６Ａのカバーシート２０が背側内部シート部２５Ｒに対して第２接着剤２５によって接着される領域が、第１接着領域２２Ａとなる。
【００３７】
また、腹側上部領域１２ＦＵにおける腹側内部弾性部２７Ｆにおいて、第１接着領域２２Ａの周囲であって、胴回り開口部１０Ａで折り返された腹側内部シート部２５Ｆ同士が第２接着剤２５によって接着される領域が、第２接着領域２２Ｂとなる。また、背側上部領域１２ＲＵにおける背側内部弾性部２７Ｒにおいて、胴回り開口部１０Ａで折り返された背側内部シート部２５Ｒ同士が第２接着剤２５によって接着される領域が、第２接着領域２２Ｂとなる。腹側内部弾性部２７Ｆおよび背側内部弾性部２７Ｒにおける第２接着領域２２Ｂは、端部領域１６Ａの周囲となることで、股下部１０Ｃを向いた凹部形状となる。この凹部形状の内側部分において、腹側内部弾性部２７Ｆの腹側内部シート部２５Ｆおよび背側内部弾性部２７Ｒの背側内部シート部２５Ｒは、端部領域１６Ａのトップシート１９に対して非接着部となる。これにより、腹側内部弾性部２７Ｆの腹側内部シート部２５Ｆと端部領域１６Ａのトップシート１９との間には、腹側ポケット３０Ｆが構成される。また、背側内部弾性部２７Ｒの背側内部シート部２５Ｒと端部領域１６Ａのトップシート１９との間には、背側ポケット３０Ｒが構成される。
【００３８】
これらポケット３０Ｆ，３０Ｒは、股下部１０Ｃ側を開口端とし、腹や背の方向に移動する尿や便などの排泄物を収容できるように構成されている。また、第２接着領域２２Ｂは、胴回り開口部１０Ａと端部領域１６Ａの前後方向の先端部との間に所定の幅を有する余白部３４を備え、ポケット３０Ｆ，３０Ｒに収容された排泄物が胴回り開口部１０Ａの方へ漏れることを抑制している。
【００３９】
また、図４（ｂ）に示すように、腹側下部領域１２ＦＤおよび背側下部領域１２ＲＤにおいて、腹側外部弾性部２８Ｆおよび背側外部弾性部２８Ｒの腹側内部シート部２５Ｆおよび背側内部シート部２５Ｒが端部領域１６Ａのカバーシート２０に対して接着される領域が、第３接着領域２２Ｃとなる。
【００４０】
ここで、腹側ポケット３０Ｆおよび背側ポケット３０Ｒの大きさについて説明する。腹側ポケット３０Ｆは、尿などの液体が多く流入する傾向があり、小さ過ぎると腹漏れの原因となる。そこで、腹側ポケット３０Ｆは、背側ポケット３０Ｒに対して大きく深いものとし、尿などの排泄物を収容するための容積を十分確保し、腹漏れの発生を抑えるようにしている。そして、腹側ポケット３０Ｆは、おむつ１０を廃棄する際に、腹側ポケット３０Ｆ以外の部分が丸められた状態で収容することもできる。また、背側ポケット３０Ｒは、腹側ポケット３０Ｆに対して小さく浅いものとなっており、臀部によって、背側ポケットの開口端が塞がれにくくなっている。
【００４１】
図２に示すように、吸収性本体１６の内面、すなわちトップシート１９上には、前後方向に沿う両端部に立体ギャザー２１が配置されている。各立体ギャザー２１は、吸収性本体１６の前後方向に延在する第１弾性部材２１Ｅと、第１弾性部材２１Ｅを挟み込むサイドシート２１Ｓとを備えている。第１弾性部材２１Ｅは、複数本が互いに平行な状態で、かつ、ホットメルト接着剤が塗布され伸長された状態でサイドシート２１Ｓに対して配置され、サイドシート２１Ｓが二つ折りされることで、サイドシート２１Ｓによって挟み込まれる。第１弾性部材２１Ｅは、弾性部材１５ＦＵ，１５ＦＤ，１５ＲＵ，１５ＲＤと同様な材料で構成されている。サイドシート２１Ｓも、トップシート１９やカバーシート２０と同様なシートで構成され、例えば、液不透過性を有した不織布などを含んだ前後方向に延びる長尺のシート体で構成されている。
【００４２】
サイドシート２１Ｓは、前後方向において、腹側上部領域１２ＦＵ、股下部１０Ｃ、および、背側上部領域１２ＲＵに跨る長さを有している。第１弾性部材２１Ｅは、サイドシート２１Ｓの前後方向における長さよりも短く、一例として、腹側下部領域１２ＦＤ、股下部１０Ｃ、および、背側下部領域１２ＲＤに跨る長さを有している。
【００４３】
また、吸収性本体１６のシート側縁部１８Ａは、カバーシート２０の前後方向に沿う両側縁部を、中央側に折り返して構成されている。図２に示すように、そして、折り返されたシート側縁部１８Ａは、レグギャザー２３を備えている。レグギャザー２３は、シート側縁部１８Ａで吸収性本体１６の前後方向に延在する第２弾性部材２３Ｅを挟み込んで構成されている。
【００４４】
第２弾性部材２３Ｅも、複数本が互いに平行な状態で、かつ、ホットメルト接着剤が塗布され伸長された状態で、腹側下部領域１２ＦＤから股下部１０Ｃを介して背側下部領域１２ＲＤに亘って延在される。
【００４５】
ところで、図２に示すように、おむつ１０は、低月齢児を対象としたものである。このため、前身頃１０Ｆと後身頃１０Ｒとの接合部１１を解いて展開した状態において、胴回り開口部１０Ａを構成する前身頃１０Ｆを構成する腹側外装体１２Ｆの上端部と後身頃１０Ｒを構成する背側外装体１２Ｒの上端部との距離Ｌ１は、脚部をばたつかせるような発育段階の低月齢児の着用者１００が着用可能なように４００ｍｍ以下となっている。なお、上限の４００ｍｍは、発育には個人差があるので、中月齢児や高月齢児などが着用可能な大きさでもある。また、距離Ｌ１の下限は、好ましくは、新生児や乳児の着用者１００に合わせて３００ｍｍである。
【００４６】
また、腹側外装体１２Ｆにおける最も股下部１０Ｃ側の腹側下部弾性部材１５ＦＤＸと背側外装体１２Ｒにおける最も股下部１０Ｃ側の背側下部弾性部材１５ＲＤＸとの距離Ｌ２が距離Ｌ１の３４％以上である。距離Ｌ２が距離Ｌ１の３４％未満の場合は、脚回り開口部１０Ｌが小さくなり過ぎて、おむつ１０を低月齢児に履かせる際に、着用者１００の脚部が脚回り開口部１０Ｌの周縁部に引っかかりやすくなるためである。また、距離Ｌ２が距離Ｌ１の６４％以下である。距離Ｌ２が距離Ｌ１の６４％より大きい場合は、おむつ１０を低月齢児に履かせた状態において着用者１００の鼠頸部へのフィット性が悪化し、横漏れをし易くなるからである。さらに、横漏れを抑える観点からは、距離Ｌ２が距離Ｌ１の４９％以下であることが好ましい。
【００４７】
さらに、脚回り開口部１０Ｌを構成する部位において、股下部１０Ｃを構成する吸収性本体１６の前後方向に沿う側縁部と前身頃１０Ｆおよび後身頃１０Ｒの胴周り方向の両端部との距離Ｌ３が距離Ｌ２の２６％以上である。距離Ｌ３が距離Ｌ２の２６％未満の場合は、脚回り開口部１０Ｌが小さくなり過ぎて、おむつ１０を低月齢児に履かせる際に、着用者１００の脚部が脚回り開口部１０Ｌの周縁部に引っかかりやすくなるためである。また、距離Ｌ３が距離Ｌ２の５６％以下である。距離Ｌ３は、低月齢児に対する履かせ易さの観点からは大きく設定することが望ましいが、大き過ぎると、おむつ１０を低月齢児に履かせた状態において着用者１００の鼠頸部へのフィット性が悪化し、横漏れをし易くなる。しかし、距離Ｌ３が距離Ｌ２の５６％以下であれば、おむつ１０を低月齢児に履かせた状態において弾性部材１５ＦＤ、１５ＦＵ、１５ＲＤ、１５ＲＵの収縮力により、着用者１００の鼠頸部にフィットさせることができる。したがって、距離Ｌ３は、おむつ１０を低月齢児に履かせた状態において、弾性部材１５ＦＤ、１５ＦＵ、１５ＲＤ、１５ＲＵの収縮力により、脚回り開口部１０Ｌを着用者１００の鼠頸部にフィットさせることができる範囲、すなわち距離Ｌ２の５６％以下に設定されている。これにより、低月齢児への履かせ易さと低月齢児に履かせた状態での横漏れ抑制を両立することができる。距離Ｌ３が距離Ｌ２の５６％より大きい場合には、おむつ１０を低月齢児に履かせた状態において弾性部材１５ＦＤ、１５ＦＵ、１５ＲＤ、１５ＲＵによって胴周りが収縮しても、着用者１００の鼠頸部へのフィット性が損なわれ、横漏れし易くなる。さらに、低月齢児に対する履かせ易さとおむつ１０を低月齢児に履かせた状態での着用者１００の鼠頸部へのフィット性の観点からは、距離Ｌ３が距離Ｌ２の４１％以上であることがより好ましい。
【００４８】
次に、以上のように構成されたおむつ１０の作用について説明する。
おむつ１０の好ましい着用者１００は、好ましくは脚部をばたつかせるような発育段階の低月齢児であり、胴回り開口部１０Ａを通じて脚回り開口部１０Ｌに対して蛙脚のような脚部がつま先から挿入される。そして、おむつ１０は、ウェストギャザーやタミーギャザーによって、前身頃１０Ｆや後身頃１０Ｒが胴周り方向に収縮し、着用者１００の腹部や背部にフィットする。また、脚回り開口部１０Ｌは、レグギャザー２３によって脚周りにフィットする。
【００４９】
以上、上記実施形態によれば以下に列挙する効果を得ることができる。
（１）距離Ｌ１を４００ｍｍ以下とすることで、おむつ１０を主として低月齢児に着用可能な大きさとすることができる。また、距離Ｌ１を３００ｍｍ以上とすることで、乳児などの低月齢児の着用者に対しても、広く着用可能なパンツ型おむつを提供することができる。
【００５０】
（２）距離Ｌ２を距離Ｌ１の３４％以上とすることで、脚回り開口部１０Ｌが大きくなり、おむつ１０を低月齢児に履かせる際に低月齢児の脚部を脚回り開口部１０Ｌに円滑に挿入することができ、おむつ１０を低月齢児に円滑に履かせることができる。
（３）距離Ｌ２をＬ１の６４％以下とすることで、おむつ１０を低月齢児に履かせた状態において、着用者１００の鼠頸部へのフィット性が向上し、横漏れを抑制することができる。さらに、距離Ｌ２が距離Ｌ１の４９％以下としたときには、おむつ１０を低月齢児に履かせた状態において、着用者１００の鼠頸部へのフィット性がさらに向上し、横漏れをさらに抑制することができる。
【００５１】
（４）距離Ｌ３を距離Ｌ２の２６％以上とすることで、脚回り開口部１０Ｌが適度な深さを有し、前身頃１０Ｆおよび後身頃１０Ｒの胴周り方向の寸法が小さくなり過ぎることを抑えることができる。さらに、距離Ｌ３を距離Ｌ２の４１％以上とすることで、おむつ１０を低月齢児に履かせる際に着用者１００の脚部を脚回り開口部１０Ｌにより円滑に挿入することができ、低月齢児への履かせ易さが向上する。
【００５２】
（５）距離Ｌ３をＬ２の５６％以下とすることで、脚回り開口部１０Ｌの寸法が大きくなり過ぎることを抑えることができる。距離Ｌ３をＬ２の５６％以下の範囲で脚回り開口部１０Ｌを大きくすることができ、おむつ１０を低月齢児に履かせる際に着用者１００の脚部を脚回り開口部１０Ｌに対してつま先から挿入し易くなる。そして、距離Ｌ３が大きくなっても、ウェストギャザーやタミーギャザーによって、脚回り開口部１０Ｌの寸法が収縮することで着用者１００の鼠頸部へのフィット性の悪化を抑えることができる。
（６）腹側外装体１２Ｆと背側外装体１２Ｒと吸収性本体１６とで構成されたおむつ１０において、脚回り開口部１０Ｌの大きさと形状を最適化することができる。
【００５３】
なお、上記各実施形態は以下のように適宜変更して実施することもできる。
・パンツ型おむつとしては、吸収性本体と、腹側と背側が股下部で繋がった外装体の２ピース構造にも適用することができる。
【００５４】
・腹側上部弾性部材１５ＦＵおよび腹側下部弾性部材１５ＦＤを挟み込む腹側外部シート部２６Ｆおよび腹側内部シート部２５Ｆは、胴回り開口部１０Ａにおいて（Ａ部）、繋がっていなくてもよいし、腹側外部シート部２６Ｆおよび腹側内部シート部２５Ｆの何れか一方のシート要素のみが繋がっているだけでもよい。
【００５５】
・おむつ１０は、前身頃１０Ｆと後身頃１０Ｒの少なくとも一方が上部領域と下部領域に分割していればよく、また、前身頃１０Ｆと後身頃１０Ｒの両方が上部領域と下部領域に分割されていなくてもよい。
【符号の説明】
【００５６】
１０…おむつ、１０Ａ…胴回り開口部、１０Ｃ…股下部、１０Ｆ…前身頃、１０Ｌ…脚回り開口部、１０Ｒ…後身頃、１０Ｗ…胴回り部、１１…接合部、１２Ｆ…腹側外装体、１２ＦＤ…腹側下部領域、１２ＦＵ…腹側上部領域、１２Ｒ…背側外装体、１２ＲＤ…背側下部領域、１２ＲＵ…背側上部領域、１５ＦＤ，１５ＦＤＸ…腹側下部弾性部材、１５ＦＵ…腹側上部弾性部材、１５ＲＤ，１５ＲＤ１，１５ＲＤＸ…背側下部弾性部材、１５ＲＵ…背側上部弾性部材、１６…吸収性本体、１６Ａ…端部領域、１７…バックシート、１８…吸収体、１８Ａ…シート側縁部、１８Ｂ…周辺部、１８Ｆ…腹側端部、１８Ｒ…背側端部、１９…トップシート、２０…カバーシート、２１…立体ギャザー、２１Ｅ…第１弾性部材、２１Ｓ…サイドシート、２２Ａ…第１接着領域、２２Ｂ…第２接着領域、２２Ｃ…第３接着領域、２３…レグギャザー、２３Ｅ…第２弾性部材、２４…第１接着剤、２５…第２接着剤、２５Ｆ…腹側内部シート部、２５Ｒ…背側内部シート部、２６Ｆ…腹側外部シート部、２６Ｒ…背側外部シート部、２７Ｆ…腹側内部弾性部、２７Ｒ…背側内部弾性部、２８Ｆ…腹側外部弾性部、２８Ｒ…背側外部弾性部、３０Ｆ…腹側ポケット、３０Ｒ…背側ポケット、３４…余白部、１００…着用者、Ｌ１，Ｌ２，Ｌ３…距離。
【図１】
2019098047.tif 000003
【図２】
2019098047.tif 000004
【図３】
2019098047.tif 000005
【図４】
2019098047.tif 000006